【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
ライブ映像データの所定の時間長の部分を表すセグメントを生成するセグメント生成手段と、
前記セグメントを外部装置が取得するための取得情報を生成する取得情報生成手段と、
前記取得情報を含んだリストを前記外部装置に送信するリスト送信手段と、
前記外部装置から前記取得情報を用いて要求された前記セグメントを前記外部装置に送信するセグメント送信手段と、
を有し、前記ライブ映像データを前記外部装置にストリーミングする映像供給装置であって、
前記外部装置から、前記ライブ映像データの利用形態を示す情報を取得する取得手段をさらに有し、
前記リスト送信手段は、
前記ライブ映像データの利用形態を示す情報が第１の利用形態を示す場合、最新の前記セグメントについての前記取得情報を含み、前記外部装置に送信されていない少なくとも１つの他のセグメントについての前記取得情報を含まない前記リストを前記外部装置に送信し、
前記ライブ映像データの利用形態を示す情報が第２の利用形態を示す場合、最新の前記セグメントについての前記取得情報と、前記外部装置に送信されていない前記少なくとも１つの他のセグメントについての前記取得情報とを含む前記リストを前記外部装置に送信する、
ことを特徴とする映像供給装置。
【請求項２】
前記第１の利用形態は、前記ライブ映像データの欠落を低減することよりも遅延を低減することが優先される利用形態であって、前記第２の利用形態は、前記ライブ映像データの遅延を低減することよりも欠落を低減することが優先される利用形態であることを特徴とする請求項１に記載の映像供給装置。
【請求項３】
前記第１の利用形態は、前記外部装置が受信したセグメントに基づき前記ライブ映像データを所定の記録媒体に記録しない利用形態であって、前記第２の利用形態は、前記外部装置が受信したセグメントに基づき前記ライブ映像データを記録する利用形態であることを特徴とする請求項１または２に記載の映像供給装置。
【請求項４】
前記リスト送信手段は、前記ライブ映像データの利用形態を示す情報が前記第１の利用形態を示す場合、前記セグメントが生成されるごとに、最新の前記セグメントについての前記取得情報を含み、前記外部装置に送信されていない前記少なくとも１つの他のセグメントについての前記取得情報を含まないように前記リストを更新することを特徴とする請求項１乃至３のいずれか１項に記載の映像供給装置。
【請求項５】
前記リスト送信手段は、前記ライブ映像データの利用形態を示す情報が前記第２の利用形態を示す場合、前記セグメントが生成されるごとに、前記リストに最新の前記セグメントについての前記取得情報を追加することにより前記リストを更新することを特徴とする請求項１乃至４のいずれか１項に記載の映像供給装置。
【請求項６】
前記リスト送信手段は、前記外部装置に送信したセグメントについての前記取得情報を前記リストから削除することにより前記リストを更新することを特徴とする請求項１乃至５のいずれか１項に記載の映像供給装置。
【請求項７】
撮像手段をさらに有し、
前記セグメント生成手段は、前記撮像手段が撮像した前記ライブ映像データから前記所定の時間長の部分を表す前記セグメントを生成することを特徴とする請求項１乃至６のいずれか１項に記載の映像供給装置。
【請求項８】
前記リスト送信手段は、前記撮像手段により撮像された前記ライブ映像データに基づき、前記リストを繰り返し更新することを特徴とする請求項７に記載の映像供給装置。
【請求項９】
前記映像供給装置は、ＩＥＥＥ８０２．１１に基づく無線通信を用いて前記外部装置と通信することを特徴とする請求項１乃至８のいずれか１項に記載の映像供給装置。
【請求項１０】
前記映像供給装置は、ＨＴＴＰに基づく通信を用いて前記外部装置と通信することを特徴とする請求項１乃至８のいずれか１項に記載の映像供給装置。
【請求項１１】
前記外部装置は、携帯電話機であることを特徴とする請求項１乃至１０のいずれか１項に記載の映像供給装置。
【請求項１２】
前記外部装置は、タブレット端末であることを特徴とする請求項１乃至１０のいずれか１項に記載の映像供給装置。
【請求項１３】
映像供給装置と映像取得装置とが通信可能に接続されてなる映像供給システムであって、
前記映像供給装置は、
ライブ映像データの所定の時間長の部分を表すセグメントを生成するセグメント生成手段と、
前記セグメントを外部装置が取得するための取得情報を生成する取得情報生成手段と、
前記取得情報を含んだリストを前記映像取得装置に送信するリスト送信手段と、
前記映像取得装置から前記取得情報を用いて要求された前記セグメントを前記映像取得装置に送信するセグメント送信手段と、
を有し、前記ライブ映像データを前記映像取得装置にストリーミングする映像供給装置であって、
前記映像取得装置から、前記ライブ映像データの利用形態を示す情報を取得する取得手段をさらに有し、
前記リスト送信手段は、
前記ライブ映像データの利用形態を示す情報が第１の利用形態を示す場合、最新の前記セグメントについての前記取得情報を含み、前記映像取得装置に送信されていない少なくとも１つの他のセグメントについての前記取得情報を含まない前記リストを前記映像取得装置に送信し、
前記ライブ映像データの利用形態を示す情報が第２の利用形態を示す場合、最新の前記セグメントについての前記取得情報と、前記映像取得装置に送信されていない前記少なくとも１つの他のセグメントについての前記取得情報とを含む前記リストを前記映像取得装置に送信し、
前記映像取得装置は、
ライブ映像データをストリーミングする前記映像供給装置から、前記ライブ映像データの所定の時間長の部分を表すセグメントを取得するために用いられる取得情報を含んだリストを受信するリスト受信手段と、
前記取得情報を用いて前記映像供給装置からの前記セグメントを要求する要求手段と、
前記要求したセグメントを受信するセグメント受信手段と、
を有する映像取得装置であって、
前記ライブ映像データの利用形態を示す情報を前記映像供給装置に送信する形態送信手段をさらに有し、
前記ライブ映像データの利用形態を示す情報が、ライブ映像データの欠落を低減することよりも遅延を低減することが優先される第１の利用形態と、ライブ映像データの遅延を低減することよりも欠落を低減することが優先される第２の利用形態のいずれかを含む、ことを特徴とする映像供給システム。
【請求項１４】
セグメント生成手段が、ライブ映像データの所定の時間長の部分を表すセグメントを生成するセグメント生成工程と、
取得情報生成手段が、前記セグメントを外部装置が取得するための取得情報を生成する取得情報生成工程と、
リスト送信手段が、前記取得情報を含んだリストを外部装置に送信するリスト送信工程と
セグメント送信手段が、前記外部装置から前記取得情報を用いて要求された前記セグメントを前記外部装置に送信するセグメント送信工程と、
を有し、前記ライブ映像データを前記外部装置にストリーミングする映像供給装置の制御方法であって、
取得手段が、ストリーミング先の前記外部装置から、前記ライブ映像データの利用形態を示す情報を取得する取得工程をさらに有し、
前記リスト送信工程では、
前記ライブ映像データの利用形態を示す情報が第１の利用形態を示す場合、最新の前記セグメントについての前記取得情報を含み、前記外部装置に送信されていない少なくとも１つの他の前記セグメントについての前記取得情報を含まない前記リストを前記外部装置に送信し、
前記ライブ映像データの利用形態を示す情報が第２の利用形態を示す場合、最新の前記セグメントについての前記取得情報と、前記外部装置に送信されていない前記少なくとも１つの他の前記セグメントについての前記取得情報とを含む前記リストを前記外部装置に送信する、
ことを特徴とする映像供給装置の制御方法。
【請求項１５】
コンピュータを、請求項１乃至１２のいずれか１項に記載の映像供給装置の各手段として機能させるためのプログラム。
【手続補正２】
【補正対象書類名】明細書
【補正対象項目名】０００７
【補正方法】変更
【補正の内容】
【０００７】
この課題を解決するため、例えば本発明の映像供給装置は以下の構成を備える。すなわち、ライブ映像データの所定の時間長の部分を表すセグメントを生成するセグメント生成手段と、セグメントを外部装置が取得するための取得情報を生成する取得情報生成手段と、取得情報を含んだリストを外部装置に送信するリスト送信手段と、外部装置から取得情報を用いて要求されたセグメントを外部装置に送信するセグメント送信手段と、を有し、ライブ映像データを外部装置にストリーミングする映像供給装置であって、外部装置から、ライブ映像データの利用形態を示す情報を取得する取得手段をさらに有し、リスト送信手段は、ライブ映像データの利用形態を示す情報が第１の利用形態を示す場合、最新のセグメントについての取得情報を含み、外部装置に送信されていない少なくとも１つの他のセグメントについての取得情報を含まないリストを外部装置に送信し、ライブ映像データの利用形態を示す情報が第２の利用形態を示す場合、最新のセグメントについての取得情報と、外部装置に送信されていない少なくとも１つの他のセグメントについての取得情報とを含むリストを外部装置に送信する、ことを特徴とする。